(57)【要約】【課題】携帯端末のディスプレイに表示された画像の読み取り品質を向上させる。【解決手段】スキャナ部が行う読取モードである第１及び第２読取モードでの密着イメージセンサの第１及び第２動作パラメータをそれぞれ記憶しており、第２動作パラメータは、第１動作パラメータよりも、ディスプレイに表示された画像を読み取るのに適したものであるようなパラメータ記憶部を備える。そして、密着イメージセンサの出力信号に基づいて、原稿の読み取り時にスキャナ部が行う読取モードを、第１読取モード及び第２読取モードのいずれかに決定する読取モード決定処理（Ｓ１４又はＳ１５）を行う。さらに、読取モード決定処理で決定された第１読取モード又は第２読取モードで原稿の読み取りが行われるように、パラメータ記憶部に記憶された第１動作パラメータ又は第２動作パラメータに基づいてスキャナ部を制御する（Ｓ１６又はＳ１７）。【選択図】図５
2020057855.tif 000002
【特許請求の範囲】
【請求項１】
赤色、緑色及び青色の光源を含む密着イメージセンサと、原稿を支持可能な画像読取面とを有するフラットベッド方式の画像読取部と、
画像データに基づいて記録媒体に画像を記録する画像記録部、及び、画像データを通信先装置に送信する画像送信部の少なくともいずれか一方と、
前記画像読取部が行う読取モードである第１及び第２読取モードでの前記密着イメージセンサの第１及び第２動作パラメータをそれぞれ記憶しており、前記第２動作パラメータは、前記第１動作パラメータよりも、映像信号に基づいてディスプレイ表示された画像を読み取るのに適したものであるようなパラメータ記憶部と、
制御部とを備えており、
前記制御部は、
前記密着イメージセンサの出力信号に基づいて、原稿の読み取り時に前記画像読取部が行う読取モードを、前記第１読取モード及び前記第２読取モードのいずれかに決定する読取モード決定処理と、
前記読取モード決定処理で決定された前記第１読取モード又は前記第２読取モードで原稿の読み取りが行われるように、前記パラメータ記憶部に記憶された前記第１動作パラメータ又は前記第２動作パラメータに基づいて前記画像読取部を制御する読取処理と、
前記読取処理による原稿の読み取りによって取得されたデータを用いて、記録媒体に画像が記録されるように前記画像記録部を制御する、又は、画像データが送信されるように前記画像送信部を制御する出力処理とを実行することを特徴とする複合機。
【請求項２】
前記第２動作パラメータは、前記密着イメージセンサの前記光源が赤色、緑色及び青色のうちのいずれか１色のみ発光するようにするものであることを特徴とする請求項１に記載の複合機。
【請求項３】
前記第２動作パラメータでの前記密着イメージセンサの前記光源の光量が、前記第１動作パラメータでの前記光源の光量よりも小さいことを特徴とする請求項１又は２に記載の複合機。
【請求項４】
前記第２動作パラメータは、前記密着イメージセンサによる読み取りを行う前に前記光源を一定時間発光させるものであることを特徴とする請求項１〜３のいずれか１項に記載の複合機。
【請求項５】
前記制御部は、
前記第２読取モードでの読み取りが行われたことによって得られた画像データを、モノクロ又はグレースケール画像に変換する変換処理をさらに実行することを特徴とする請求項１〜４のいずれか１項に記載の複合機。
【請求項６】
前記画像読取部が、閉じた状態において前記画像読取面を覆うことが可能な開閉式のカバーをさらに有しており、
前記制御部は、
前記読取モード決定処理において、前記カバーが閉じており且つ前記密着イメージセンサの前記光源が発光していない状態での前記密着イメージセンサの出力信号の大きさが所定閾値以上であれば、前記画像読取部が行う読取モードを前記第２読取モードに決定することを特徴とする請求項１〜５のいずれか１項に記載の複合機。
【請求項７】
画像が矩形領域と前記矩形領域を取り囲む枠領域とから構成されているという、画像データに含まれる画像に関する所定形状条件を記憶する条件記憶部をさらに備えており、
前記制御部は、
前記読取処理が行われる前に原稿の予備的な読み取りが行われるように、前記画像読取部を制御する予備読取処理と、
前記予備読取処理によって作成された画像データが、前記条件記憶部が記憶する前記所定形状条件に合致するものであるか否かを判断する画像判断処理とをさらに実行し、
前記画像判断処理において前記画像データが前記所定形状条件に合致すると判断した場合、前記読取モード決定処理において、前記画像読取部が行う読取モードを前記第２読取モードに決定することを特徴とする請求項１〜５のいずれか１項に記載の複合機。
【請求項８】
画像が矩形領域と前記矩形領域を取り囲む枠領域とから構成されているという、画像データに含まれる画像に関する所定形状条件を記憶する条件記憶部を備えており、画像データが、前記条件記憶部が記憶する前記所定形状条件に合致するものであるか否かを判断する画像判断処理を実行可能な装置と通信可能な通信部をさらに備えており、
前記制御部は、
前記読取処理が行われる前に原稿の予備的な読み取りが行われるように、前記画像読取部を制御する予備読取処理と、
前記予備読取処理によって作成された画像データを前記装置に送信し、前記装置で実行された前記画像判断処理の結果を受信するように前記通信部を制御する判断結果取得処理とをさらに実行し、
前記判断結果取得処理において前記画像データが前記所定形状条件に合致するとの結果を取得した場合、前記読取モード決定処理において、前記画像読取部が行う読取モードを前記第２読取モードに決定することを特徴とする請求項１〜５のいずれか１項に記載の複合機。
【発明の詳細な説明】
【技術分野】
【０００１】
本発明は、密着イメージセンサを有する画像読取部を備えた複合機に関する。
【背景技術】
【０００２】
複合機（ＭＦＰ：Multi-Function Peripheral）におけるフラットベッド方式の画像読取部には、密着イメージセンサ（ＣＩＳ：Contact Image Sensor）方式が採用されることが多い（特許文献１参照）。この方式は、光源にＲＧＢ３色の発光ダイオードを用いており、これら３色を高速に切り換えて撮像素子であるＣＭＯＳイメージセンサに原稿からの光を直接的に導くようになっている。また、この方式には、光学系が単純で、装置のサイズをコンパクトにできる一方、焦点深度が浅いために原稿が原稿台に密着していないとピントが合いにくい面もある。
【先行技術文献】
【特許文献】
【０００３】
【特許文献１】特開２００１−９４７４２号公報
【発明の概要】
【発明が解決しようとする課題】
【０００４】
近年、映像信号を画像として表示する液晶その他のディスプレイを備えたスマートフォンなどの携帯端末が普及している。したがって、携帯端末のディスプレイに表示された画像を複合機の画像読取部で読み取る機会がある。しかしながら、複合機の多くで採用されている密着イメージセンサ方式の画像読取部では、その構造上、ディスプレイに表示された画像を安定して高品質で読み取ることが難しい場合がある。
【０００５】
本発明の目的は、携帯端末のディスプレイに表示された画像の読み取り品質を向上させることができる複合機を提供することである。
【課題を解決するための手段】
【０００６】
本発明の複合機は、赤色、緑色及び青色の光源を含む密着イメージセンサと、原稿を支持可能な画像読取面とを有するフラットベッド方式の画像読取部と、画像データに基づいて記録媒体に画像を記録する画像記録部、及び、画像データを通信先装置に送信する画像送信部の少なくともいずれか一方と、前記画像読取部が行う読取モードである第１及び第２読取モードでの前記密着イメージセンサの第１及び第２動作パラメータをそれぞれ記憶しており、前記第２動作パラメータは、前記第１動作パラメータよりも、映像信号に基づいてディスプレイ表示された画像を読み取るのに適したものであるようなパラメータ記憶部と、制御部とを備えており、前記制御部は、前記密着イメージセンサの出力信号に基づいて、原稿の読み取り時に前記画像読取部が行う読取モードを、前記第１読取モード及び前記第２読取モードのいずれかに決定する読取モード決定処理と、前記読取モード決定処理で決定された前記第１読取モード又は前記第２読取モードで原稿の読み取りが行われるように、前記パラメータ記憶部に記憶された前記第１動作パラメータ又は前記第２動作パラメータに基づいて前記画像読取部を制御する読取処理と、前記読取処理による原稿の読み取りによって取得されたデータを用いて、記録媒体に画像が記録されるように前記画像記録部を制御する、又は、画像データが送信されるように前記画像送信部を制御する出力処理とを実行する。
【発明の効果】
【０００７】
本発明の複合機では、第１動作パラメータに基づいて画像読取部を制御して原稿の読み取りを行う第１読取モードと、第１動作パラメータよりも映像信号に基づいてディスプレイ表示された画像を読み取るのに適した第２動作パラメータに基づいて画像読取部を制御して原稿の読み取りを行う第２読取モードとを使い分けることができる。したがって、原稿がディスプレイ領域を持つ携帯端末である場合における読み取り画質を向上させることができる。
【図面の簡単な説明】
【０００８】
【図１】本発明の一実施形態にかかる複合機の電気的構成を概略的に示すブロック図である。
【図２】図１に示すスキャナ部の概略構成を示す図である。
【図３】図１に示す複合機が接続されたシステムを示す模式図である。
【図４】（ａ）は図１のスキャナ部で読み取る二次元コードが表示されるディスプレイを備えた携帯端末を示す図であり、（ｂ）は携帯端末のスキャン画像における矩形領域及び枠領域を説明するための図である。
【図５】図１に示す複合機の制御部で行われる処理手順の一例を示すフローチャートである。
【図６】一変形例に係る複合機が接続されたシステムを示す図である。
【発明を実施するための形態】
【０００９】
以下、本発明の一実施の形態にかかる複合機について図面を参照しつつ説明する。本実施形態は、印刷機能、スキャナ機能及びＦＡＸ機能を有する複合機（ＭＦＰ：Multi Function Peripheral）に本発明を適用したものである。
【００１０】
図１に示すように、複合機１は、ＣＰＵ（Central Processing Unit）１１、ＲＯＭ（Read Only Memory）１２、ＲＡＭ（Random Access Memory）１３、パラメータ記憶部１４、条件記憶部１５、設定データ記憶部１６、ＡＳＩＣ（Application Specific Integrated Circuit）１７を含む制御部１０を備えている。ＡＳＩＣ１７には、スキャナ部２、プリンタ部３、ネットワーク通信部４、ファクシミリ通信部５及び操作部６が接続されている。制御部１０は、これらＣＰＵ１１、ＲＯＭ１２、ＲＡＭ１３、パラメータ記憶部１４、条件記憶部１５、設定データ記憶部１６及びＡＳＩＣ１７が協働して複合機１全体の制御を司る。パラメータ記憶部１４、条件記憶部１５及び設定データ記憶部１６は、図示しないＥＥＰＲＯＭ（Electrically Erasable Programmable Read-Only Memory）によって構成されているが、ＲＯＭ１２によって構成されていてもよい。
【００１１】
図１では、ＣＰＵ１１及びＡＳＩＣ１７を１つずつ図示しているが、制御部１０は、ＣＰＵ１１を１つだけ含み、この１つのＣＰＵ１１が必要な処理を一括して行うものであってもよいし、ＣＰＵ１１を複数含み、これら複数のＣＰＵ１１が必要な処理を分担して行うものであってもよい。また、制御部１０は、ＡＳＩＣ１７を１つだけ含み、この１つのＡＳＩＣ１７が必要な処理を一括して行うものであってもよいし、ＡＳＩＣ１７を複数含み、これら複数のＡＳＩＣ１７が必要な処理を分担して行うものであってもよい。
【００１２】
スキャナ部２は、フラットベッド方式のスキャナであり、プラテンガラス２１の上面２１ａ（図２参照）に置かれた原稿を光学的に読み取って画像データを作成する。ここで、図２を参照しつつ、スキャナ部２の概略構成について説明する。スキャナ部２は、プラテンガラス２１、カバー２２、密着イメージセンサ２３及び移動機構２４などを備えている。プラテンガラス２１は、複合機１の直方体形状の筐体７の上部に形成された開口７ａを、筐体７の内側から閉塞している。カバー２２は、その一端部が筐体７の上面に回動可能に支持されており、プラテンガラス２１の上面２１ａを覆う閉位置（図１中破線で示す位置）と、上面２１ａを露出させる開位置（図１中実線で示す位置）とを取り得る。なお、図１に示すように、スキャナ部２は、カバー２２が開位置にあるか閉位置にあるかを検出するカバーセンサ２２ａをさらに備えている。
【００１３】
図２に戻って、密着イメージセンサ２３及び移動機構２４は、筐体７の内部空間に配置されている。密着イメージセンサ２３は、撮像素子２３ａ、光源２３ｂ、ロッドレンズアレイ２３ｃ、及び、これらが搭載されるキャリッジ２３ｄなどで構成される。撮像素子２３ａは、ＣＭＯＳイメージセンサであり、プラテンガラス２１の上面２１ａと平行な主走査方向（図２の紙面に垂直な方向）に沿って複数配列されている。光源２３ｂは、赤色、緑色及び青色の３色の発光ダイオードで構成されており、プラテンガラス２１に向けて光線を出射する。ロッドレンズアレイ２３ｃは、主走査方向に沿って延びており、光源２３ｂから出射されプラテンガラス２１の上面２１ａに置かれた原稿などの障害物により反射された光線を撮像素子２３ａに結像させる。
【００１４】
移動機構２４は、密着イメージセンサ２３を、プラテンガラス２１の上面２１ａと平行な面内において、主走査方向と直交する副走査方向（図２中左右方向）に移動させるものである。図２に示すように、移動機構２４は、正逆回転可能なモータ２４ａによって駆動される駆動ローラ２４ｂと、従動ローラ２４ｃと、駆動ローラ２４ｂ及び従動ローラ２４ｃに架け渡されたエンドレスのベルト２４ｄなどで構成されている。ベルト２４ｄには、密着イメージセンサ２３のキャリッジ２３ｄが取り付けられており、駆動ローラ２４ｂの回転によりベルト２４ｄが走行することで密着イメージセンサ２３が副走査方向に往復移動できるようになっている。
【００１５】
スキャナ部２で原稿の読み取りを行う際には、移動機構２４により密着イメージセンサ２３を副走査方向に移動させつつ、密着イメージセンサ２３の光源２３ｂを発光させて撮像素子２３ａに光線を結像させる。このとき、撮像素子２３ａに集められた光を電気信号に変換して出力する。
【００１６】
図１に戻って、プリンタ部３は、所定の方式（例えば、レーザ方式やインクジェット方式）で、画像データに基づいて用紙上に画像を記録する装置である。ネットワーク通信部４は、図３に示すようにＬＡＮ８１及びプロキシサーバ８２を介して複合機１をインターネット８０に接続するためのものである。したがって、複合機１は、図３に示すようにインターネット８０に接続されたサーバ８３と通信することができる。なお、ＬＡＮ８１は、有線ＬＡＮであってもよいし、無線ＬＡＮであってもよい。また、ＬＡＮ８１は、有線ＬＡＮ及び無線ＬＡＮの両方を含んでいてもよい。ファクシミリ通信部５は、電話回線を通じたＦＡＸ通信により他のＦＡＸ装置に画像データを送信するためのものである。
【００１７】
操作部６は、選択ボタン６ａ、スタートボタン６ｂ及び電源ボタン６ｃの３つの物理ボタンを備えている。選択ボタン６ａは、プリンタ部３によって用紙に画像の記録を行うプリントモード、及び、ファクシミリ通信部５によって画像データの送信を行うＦＡＸモードのいずれの出力モードで処理を実行するかの指示を、ユーザが入力するためのものである。すなわち、例えばデフォルトではプリントモードに設定されており、選択ボタン６ａを押す度に出力モードをＦＡＸモードに切り替えたり、プリントモードに切り替えたりすることができる。スタートボタン６ｂは、選択ボタン６ａで選択された出力モードでの処理の実行指示を、ユーザが入力するためのものである。電源ボタン６ｃは、複合機１の電源のＯＮ／ＯＦＦの切り換え指示を、ユーザが入力するためのものである。
【００１８】
本実施形態の複合機１は、図４（ａ）に示すように、スマートフォンやＰＤＡ（Personal Digital Assistant）などの携帯端末９の矩形状のディスプレイ９ａに映像信号に基づいて表示された二次元コード８をスキャナ部２で読み取ることで、二次元コード８で示される情報を取得することができる。なお、携帯端末９は、図３に示すように、基地局８４を介してインターネット８０に接続可能である。したがって、携帯端末９は、図３に示すようにインターネット８０に接続されたサーバ８３と通信することができる。
【００１９】
図１に戻って、パラメータ記憶部１４は、スキャナ部２によって原稿の読み取りを行う際の読取モードである第１及び第２読取モードでの密着イメージセンサ２３の第１及び第２動作パラメータをそれぞれ記憶する。なお、第２動作パラメータは、第１動作パラメータよりも、ディスプレイ９ａに表示された画像を読み取るのに適したものである。
【００２０】
具体的には、第２動作パラメータは、密着イメージセンサ２３による読み取りを行う前、すなわち移動機構２４により密着イメージセンサ２３を副走査方向に移動させる前に、密着イメージセンサ２３の光源２３ｂを一定時間発光させるものである。携帯端末９には、外部の明るさに応じてディスプレイ９ａの明るさを自動調整するものがある。具体的には、外部が明るい場合には、外部が暗い場合に比べてディスプレイ９ａが明るく発光するように自動調整する。したがって、スキャナ部２のプラテンガラス２１に携帯端末９を置いた状態で光源２３ｂを一定時間発光させることで、携帯端末９のディスプレイ９ａを比較明るくする発光させることができる。
【００２１】
また、第１動作パラメータは、密着イメージセンサ２３による読み取りを行う際に、密着イメージセンサ２３の光源２３が、赤色、緑色及び青色の３色を高速に切り換えて発光するようにするものである。一方、第２動作パラメータは、密着イメージセンサ２３による読み取りを行う際に、密着イメージセンサ２３の光源２３が、赤色、緑色及び青色のうちのいずれか１色のみ発光するようにするものである。さらに、第２動作パラメータでは、密着イメージセンサ２３による読み取りを行う際の、密着イメージセンサ２３の光源２３の光量Ｑ２が第１動作パラメータでの光源２３の光量Ｑ１よりも小さい。
【００２２】
条件記憶部１５には、スキャナ部２による原稿の読み取りによって作成された画像データに含まれる画像（以降、「スキャン画像」と称する）が、携帯端末９のディスプレイ９ａが配置された面を読み取ったスキャン画像であるか否かを判断するための条件が記憶されている。
【００２３】
すなわち、図４（ｂ）に示すように、携帯端末９のディスプレイ９ａが配置された面をスキャナ部２で読み取った際のスキャン画像は、矩形状のディスプレイ９ａに対応する矩形領域９１（図４（ｂ）のドットで示す領域）と、矩形領域９１を取り囲む枠領域９２（図４（ｂ）の斜線で示す領域）とから構成される。したがって、スキャン画像が、矩形領域９１と矩形領域９１を取り囲む枠領域９２とで構成されている場合は、携帯端末９のディスプレイ９ａが配置された面を読み取ったスキャン画像であると判断することができる。そこで、条件記憶部１５には、スキャン画像が矩形領域９１と矩形領域９１を取り囲む枠領域９２とで構成されているという、画像データに含まれる画像に関する条件（所定形状条件）が記憶されている。
【００２４】
ここで、携帯端末９のディスプレイ９ａに表示される二次元コード８で示される情報について説明する。本実施形態においては、二次元コード８で示される情報は２ケースある。まず１つ目は、プリンタ部３における画像の記録、又は、ファクシミリ通信部５における画像データの送信に係る出力設定項目と、出力設定項目に関するパラメータである出力設定データとが、二次元コード８で示されるケースである。
【００２５】
なお、プリンタ部３における画像の記録に係る出力設定項目としては、例えば「用紙サイズ」、「印刷枚数」、「カラー・モノクロ」、「ページ集約」がある。また、ファクシミリ通信部５における画像データの送信に係る出力設定項目としては、例えば「通信画質」、「カラー・モノクロ」、「送信先の電話番号」などがある。携帯端末９には、これらの出力設定項目に関するパラメータである出力設定データを入力するためのアプリケーションソフトが予めインストールされている。
【００２６】
ユーザは、アプリケーションソフトを用いて出力設定データを携帯端末９に入力する。すなわち画像の記録を行う場合には、「用紙サイズ」、「印刷枚数」、「カラー・モノクロ」、「ページ集約」の各出力設定項目に関するパラメータとして、例えば「Ａ４」、「１０枚」、「カラー」、「２ｉｎ１」を入力する。また、画像データの送信を行う場合には、「通信画質」、「カラー・モノクロ」の各出力設定項目に関するパラメータとして、例えば「高画質」、「モノクロ」を入力する。さらに、「送信先の電話番号」に関するパラメータとしては、所定桁数の電話番号を入力する。
【００２７】
携帯端末９のアプリケーションソフトは、ユーザによって入力された出力設定データを二次元コード８に変換する。そして、図４（ａ）に示すように、ディスプレイ９ａに二次元コード８を表示する。
【００２８】
二次元コード８で示される情報の２つ目は、ネットワーク上におけるサーバ８３の位置情報であるＵＲＬ（Uniform Resource Locator）であるケースである。すなわちユーザは、アプリケーションソフトを用いて出力設定データを携帯端末９に入力する。そして、携帯端末９のアプリケーションソフトは、入力された出力設定データを基地局８４及びインターネット８０を介してサーバ８３に送り、サーバ８３内のファイルに出力設定データを格納する。さらに、携帯端末９のアプリケーションソフトは、出力設定データを格納したサーバ８３内の上記ファイルのＵＲＬを二次元コード８に変換する。そして、図４（ａ）に示すように、ディスプレイ９ａに二次元コード８を表示する。
【００２９】
なお、以下の説明においては、二次元コード８で示される情報として、上述の１つ目の出力設定データである場合と、２つ目の出力設定データが格納されたサーバ８３内の上記ファイルのＵＲＬである場合とで区別しない場合は、「指示情報」と称することとする。
【００３０】
図１に戻って、設定データ記憶部１６は、プリンタ部３における画像の記録、又は、ファクシミリ通信部５における画像データの送信に係る出力設定項目に関するパラメータである出力設定データを記憶する。すなわち、プリンタ部３における画像の記録に係る各出力設定項目「用紙サイズ」、「印刷枚数」、「カラー・モノクロ」、「ページ集約」に関するパラメータとして、例えば「Ａ４」、「１０枚」、「カラー」、「２ｉｎ１」と記憶する。また、ファクシミリ通信部５における画像データの送信に係る各出力設定項目「通信画質」、「カラー・モノクロ」に関するパラメータとして、例えば「高画質」、「モノクロ」と記憶する。さらに、「送信先の電話番号」に関するパラメータとしては、所定桁数の電話番号を記憶する。
【００３１】
設定データ記憶部１６には、デフォルトの出力設定データが記憶されている。さらに、設定データ記憶部１６には、携帯端末９のディスプレイ９ａに表示された二次元コード８を読み取ることで、その二次元コード８から取得した出力設定データ、又は、その二次元コード８が示すＵＲＬに位置するサーバ８３内のファイルから取得した出力設定データをテンポラリのパラメータとして記憶する。
【００３２】
次に、図５を参照しつつ、本実施形態の複合機１でプリンタ部３による画像の記録、又は、ファクシミリ通信部５による画像データの送信を行う際の処理手順の一例について説明する。図５に示す処理は、複合機１の電源が投入されている期間中行われている。
【００３３】
まず、スタートボタン６ｂが押下されたか否かを判断する（Ｓ１１）。Ｓ１１の判断は、スタートボタン６ｂが押下されたと判断するまで繰り返しをおこなう。そして、スタートボタン６ｂが押下されたと判断した場合には（Ｓ１１：ＹＥＳ）、カバーセンサ２２ａからの出力信号に基づいて、スキャナ部２のカバー２２が開位置であるか否かを判断する（Ｓ１２）。そして、カバー２２が開位置であると判断した場合には（Ｓ１２：ＹＥＳ）、スキャナ部２により通常の読み取り処理よりも低い解像度で原稿の予備的な読み取り処理を行うプレスキャンを実行する（Ｓ１３（予備読取処理））。
【００３４】
続いて、Ｓ１３でのプレスキャンのスキャン画像が、条件記憶部１５に記憶されている所定形状条件を満たすか否かを判断する（Ｓ１４（読取モード決定処理、画像判断処理））。すなわち、プレスキャンのスキャン画像が、携帯端末９のディスプレイ９ａが配置された面をスキャナ部２で読み取った際のスキャン画像であり、矩形状のディスプレイ９ａに対応する矩形領域９１と、矩形領域９１を取り囲む枠領域９２とから構成されるか否かを判断する。ここで、プレスキャンのスキャン画像が所定形状条件を満たさないと判断した場合には（Ｓ１４：ＮＯ）、後述するＳ１６に進む。一方、プレスキャンのスキャン画像が所定形状条件を満たすと判断した場合には（Ｓ１４：ＹＥＳ）、後述するＳ１７に進む。
【００３５】
そして、Ｓ１２において、カバー２２が開位置でなく閉位置にあると判断した場合には（Ｓ１２：ＮＯ）、スキャナ部２の密着イメージセンサ２３の光源２３ｂが発光していない状態での撮像素子２３ａからの出力信号が所定閾値以上であるか否かを判断する（Ｓ１５（読取モード決定処理））。すなわち、携帯端末９のディスプレイ９ａは発光しているので、スキャナ部２のプラテンガラス２１の上面２１ａに携帯端末９を置いてカバー２２を閉位置とした場合の像素子２３ａからの出力信号は、プラテンガラス２１の上面２１ａに用紙などの発光しない原稿を置いた場合に比べて高くなる。したがって、撮像素子２３ａからの出力信号が所定閾値以上である場合は、プラテンガラス２１の上面２１ａに発光するディスプレイ９ａを備えた携帯端末９が置かれていると判断することができる。
【００３６】
Ｓ１５において、撮像素子２３ａからの出力信号が所定閾値以上でないと判断した場合、つまりプラテンガラス２１に用紙などの発光しない原稿が置かれていると判断した場合には（Ｓ１５：ＮＯ）、パラメータ記憶部１４に記憶されている第１動作パラメータに基づいてスキャナ部２を制御して第１読取モードで原稿の読み取りを行う（Ｓ１６（読取処理））。すなわち第１読取モードでは、密着イメージセンサ２３の光源２３を、赤色、緑色及び青色の３色を高速に切り換えて発光させ、且つ、光量をＱ１（＞Ｑ２）とし、撮像素子２３ａに光線を結像させる。なお、このときの解像度はＳ１３のプレスキャンでの解像度よりも大きい。その後、後述するＳ２２に進む。
【００３７】
一方、Ｓ１５において、撮像素子２３ａからの出力信号が所定閾値以上であると判断した場合、すなわち発光するディスプレイ９ａを備えた携帯端末９が置かれていると判断した場合には（Ｓ１５：ＹＥＳ）、パラメータ記憶部１４に記憶されている第２動作パラメータに基づいてスキャナ部２を制御して第２読取モードで原稿の読み取りを行う（Ｓ１７（読取処理））。すなわち第２読取モードでは、移動機構２４により密着イメージセンサ２３を副走査方向に移動させる前に、密着イメージセンサ２３の光源２３ｂを一定時間発光させて、携帯端末９のディスプレイ９ａを比較明るく発光させる。その後、密着イメージセンサ２３の光源２３を、赤色、緑色及び青色のうちのいずれか１色のみ発光させ、且つ、光量をＱ２（＜Ｑ１）とし、撮像素子２３ａに光線を結像させる。なお、このときの解像度はＳ１３のプレスキャンでの解像度よりも大きい。
【００３８】
続いて、Ｓ１７での第２読取モードでの読み取りで作成された画像データのスキャン画像に、指示情報を示す二次元コード８が表示されているか否かを判断する（Ｓ１８）。スキャン画像に二次元コード８が表示されていると判断した場合には（Ｓ１８：ＹＥＳ）、その二次元コード８で示される指示情報が、サーバ２３のＵＲＬであるか否かを判断する（Ｓ１９）。そして、二次元コード８で示される指示情報がサーバ２３のＵＲＬでない場合、すなわち二次元コード８で示される指示情報が出力設定データである場合には（Ｓ１９：ＮＯ）、後述するＳ２０の処理を省略してＳ２１に進む。
【００３９】
一方、二次元コード８で示される指示情報がサーバ２３のＵＲＬである場合には（Ｓ１９：ＹＥＳ）、ネットワーク通信部４を制御し、サーバ２３に格納されている出力設定データを取得する（Ｓ２０）。その後、二次元コード８から取得した出力設定データ、又は、サーバ２３から取得した出力設定データをテンポラリのパラメータとして設定データ記憶部１６に記憶し（Ｓ２１）、Ｓ１１に戻る。
【００４０】
Ｓ１８において、スキャン画像に二次元コード８が表示されていないと判断した場合には（Ｓ１８：ＮＯ）、Ｓ１７での第２読取モードでの読み取りで作成された画像データを、モノクロ又はグレースケール画像に変換する（Ｓ２２（変換処理））。その後、設定データ記憶部１６にテンポラリの出力設定データが記憶されているか否かを判断する（Ｓ２３）。
【００４１】
設定データ記憶部１６にテンポラリの出力設定データが記憶されていると判断した場合には（Ｓ２３：ＹＥＳ）、テンポラリの出力設定データにしたがって、用紙に画像が記録されるようにプリンタ部３を制御する、又は、画像データが送信されるようにファクシミリ通信部５を制御する（Ｓ２４（出力処理））。Ｓ２４においてＳ１７での第２読取モードでの読み取りで作成された画像データに基づいて出力処理を行う場合には、Ｓ２２で変換されたモノクロ又はグレースケール画像のデータを用いて出力処理を行う。なお、Ｓ２４において画像の記録を行うか、画像データの送信を行うかは、選択ボタン６ａによって選択されている出力モード（プリントモード又はＦＡＸモード）に従う。その後、設定データ記憶部１６に記憶されているテンポラリの出力設定データを削除し（Ｓ２５）、Ｓ１１に戻る。
【００４２】
また、Ｓ２３において、設定データ記憶部１６にテンポラリの出力設定データが記憶されていないと判断した場合には（Ｓ２３：ＮＯ）、設定データ記憶部１６に記憶されているデフォルトの出力設定データに基づいて、プリンタ部３における画像の記録、又は、ファクシミリ通信部５における画像データの送信を行う（Ｓ２６（出力処理））。Ｓ２６においてＳ１７での第２読取モードでの読み取りで作成された画像データに基づいて出力処理を行う場合には、Ｓ２２で変換されたモノクロ又はグレースケール画像のデータを用いて出力処理を行う。なお、Ｓ２５において画像の記録を行うか、画像データの送信を行うかは、この時点で選択ボタン６ａによって選択されている出力モード（プリントモード又はＦＡＸモード）に従う。その後Ｓ１１に戻る。
【００４３】
したがって、ユーザが携帯端末９以外の用紙などの原稿をスキャナ部２のプラテンガラス２１の上面２１ａに載せ、スタートボタン６ｂを押下した場合、第１動作パラメータに基づいてスキャナ部２が制御される第１読取モードで読み取り処理が行われる。また、ユーザが発光するディスプレイ９ａを備えた携帯端末９をスキャナ部２のプラテンガラス２１の上面２１ａに載せ、スタートボタン６ｂを押下した場合、第１動作パラメータよりもディスプレイ９ａに表示された画像を読み取るのに適した第２動作パラメータに基づいてスキャナ部２が制御される第２読取モードで読み取り処理が行われる。
【００４４】
以上のように、上述の実施形態の複合機１は、スキャナ部２によって原稿の読み取りを行う際の読取モードである第１及び第２読取モードでの密着イメージセンサ２３の第１及び第２動作パラメータをそれぞれ記憶するパラメータ記憶部１４を備えている。第２動作パラメータは、第１動作パラメータよりも、映像信号に基づいてディスプレイ９ａに表示された画像を読み取るのに適したものである。そして、制御部１０は、密着イメージセンサ２３の出力信号に基づいて、原稿の読み取り時にスキャナ部２が行う読取モードを、第１読取モード及び第２読取モードのいずれかに決定する読取モード決定処理（図５のＳ１４又はＳ１５）と、読取モード決定処理で決定された第１読取モード又は第２読取モードで原稿の読み取りが行われるように、パラメータ記憶部１４に記憶された第１動作パラメータ又は第２動作パラメータに基づいてスキャナ部２を制御する読取処理（図５のＳ１６又はＳ１７）と、読取処理による原稿の読み取りによって取得されたデータ（画像データ又は指示情報（出力設定データ又は出力設定データが格納されたサーバ８３のＵＲＬ））を用いて、用紙に画像が記録されるようにプリンタ部３を制御する、又は、画像データが送信されるようにファクシミリ通信部５を制御する出力処理（図５のＳ２４又はＳ２６）と、を実行する。したがって、第１動作パラメータに基づいてスキャナ部２を制御して原稿の読み取りを行う第１読取モードと、第１動作パラメータよりも映像信号に基づいてディスプレイ９ａに表示された画像を読み取るのに適した第２動作パラメータに基づいてスキャナ部２を制御して原稿の読み取りを行う第２読取モードとを使い分けることができる。よって、原稿がディスプレイ領域を持つ携帯端末９である場合における読み取り画質を向上させることができる。
【００４５】
また、上述の実施形態の複合機１は、第２動作パラメータは、密着イメージセンサ２３の光源２３ｂが赤色、緑色及び青色のうちのいずれか１色のみ発光するようにするものである。ディスプレイ９ａは発光しているため、光源２３ｂを単色とすることで原稿がディスプレイ領域を持つ携帯端末９である場合における読み取り画質が安定する。
【００４６】
また、上述の実施形態の複合機１は、第２動作パラメータでの密着イメージセンサ２３の光源２３ｂの光量Ｑ２が、第１動作パラメータでの光源２３ｂの光量Ｑ１よりも小さい。ディスプレイ９ａは発光しているため、光源２３ｂの光量を用紙などの発光していない原稿を読み取る際の光源２３ｂの光量よりも小さくすることで、原稿がディスプレイ領域を持つ携帯端末９である場合における読み取り画質をより向上させることができる。
【００４７】
さらに、上述の実施形態の複合機１は、第２動作パラメータは、密着イメージセンサ２３による読み取りを行う前に光源２３ｂを一定時間発光させるものである。携帯端末９には外部の明るさに応じてディスプレイ９ａの明るさを自動調整する機能を有するものがあるため、携帯端末９のディスプレイ９ａはプラテンガラス２１の上面２１ａに支持されると暗くなることがある。上述の構成によると、読み取り前に光源２３ｂを発光させることで携帯端末９のディスプレイ９aを明るくできるので、原稿がディスプレイ領域を持つ携帯端末９である場合における読み取り画質がさらに向上する。
【００４８】
加えて、上述の実施形態の複合機１は、第２読取モードでの読み取りが行われたことによって得られた画像データを、モノクロ又はグレースケール画像に変換する変換処理（図５のＳ２２）を実行する。したがって、第２読取モードでの読み取りが行われたことによって得られた画像データに係る画像に中途半端に色味があることで、出力処理においてその画像を記録する際、又は、画像データを送信した送信先の装置で画像を記録する際に色材が無駄になるのを防止することができる。
【００４９】
また、上述の実施形態の複合機１は、読取モード決定処理において、スキャナ部２のカバー２２が閉位置にあり且つ密着イメージセンサ２３の光源２３ｂが発光していない状態での密着イメージセンサ２３の出力信号の大きさが所定閾値以上であれば（図５のＳ１５：ＹＥＳ）、スキャナ部２が行う読取モードを第２読取モードに決定する。携帯端末９のディスプレイ９ａは発光しているので、スキャナ部２のプラテンガラス２１の上面２１ａに携帯端末９を置いてカバー２２を閉位置とした場合の像素子２３ａからの出力信号は、プラテンガラス２１の上面２１ａに用紙などの発光しない原稿を置いた場合に比べて高くなる。したがって、携帯端末９のディスプレイ９ａの発光を利用してプラテンガラス２１に置かれているのがディスプレイ９ａを備えた携帯端末９か否かを判断し、効果的に読取モードを決定することができる。
【００５０】
また、上述の実施形態の複合機１は、画像が矩形領域９１と矩形領域９１を取り囲む枠領域９２とから構成されているという、画像データに含まれる画像に関する所定形状条件を記憶する条件記憶部１５をさらに備えている。制御部１０は、読取処理が行われる前に原稿の予備的な読み取りが行われるように、スキャナ部２を制御する予備読取処理（図５のＳ１３）と、予備読取処理によって作成された画像データが、条件記憶部１５が記憶する所定形状条件に合致するものであるか否かを判断する画像判断処理（図５のＳ１４）とをさらに実行する。そして、画像判断処理において画像データが所定形状条件に合致すると判断した場合、読取モード決定処理において、スキャナ部２が行う読取モードを第２読取モードに決定する。したがって、携帯端末９の形状的特徴を利用し、スキャン画像がディスプレイ９ａに対応する矩形領域９１と矩形領域９１を取り囲む枠領域９２とから構成されているか否かを判断することで、携帯端末９のディスプレイ９ａが配置された面をスキャナ部２で読み取った際のスキャン画像であるか否かを判断できる。よって、効果的に読取モードを決定することができる。
【００５１】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００５２】
すなわち、上述の実施形態においては、パラメータ記憶部１４に記憶されている第２動作パラメータは、密着イメージセンサ２３の光源２３ｂが赤色、緑色及び青色のうちのいずれか１色のみ発光するようにするものであり（発光色に関するパラメータ）、密着イメージセンサ２３の光源２３ｂの光量Ｑ２が、第１動作パラメータでの光源２３ｂの光量Ｑ１よりも小さくするものであり（光量に関するパラメータ）、且つ、密着イメージセンサ２３による読み取りを行う前に光源２３ｂを一定時間発光させるものである（事前発光に関するパラメータ）場合について説明したが、これには限定されない。上述の発光色に関するパラメータ、光量に関するパラメータ及び事前発光に関するパラメータの３つのパラメータのうち少なくとも１つが、第２動作パラメータとしてパラメータ記憶部１４に記憶されていればよい。
【００５３】
また、上述の実施形態においては、第２読取モードでの読み取りが行われたことによって得られた画像データのスキャン画像に二次元コード８が表示されていないと判断した場合に（図５のＳ１８：ＮＯ）、そのスキャン画像をモノクロ又はグレースケール画像に変換する変換処理（図５のＳ２２）を実行する場合について説明したが、これには限定しない。すなわち、変換処理は、第２読取モードでの原稿の読み取り（図５のＳ１７）を行った後に実行するようにしてもよい。さらに、変換処理は行わなくてもよい。
【００５４】
加えて、上述の実施形態では、スキャナ部２のカバー２２が開位置であるか否かを判断し（図５のＳ１２）、カバー２２が開位置であると判断した場合にはプレスキャンを実行して（図５のＳ１３）、プレスキャンのスキャン画像が所定形状条件を満たすか否かにより、読取モードを決定する（図５のＳ１４）。また、カバー２２が開位置でないと判断した場合には撮像素子２３ａからの出力信号が所定閾値以上であるか否かにより、読取モードを決定する（図５のＳ１５）。しかしながら、スキャナ部２のカバー２２が開位置であるか否かに拘らず、常にプレスキャンを実行してプレスキャンのスキャン画像が所定形状条件を満たすか否かにより、読取モードを決定するようにしてもよい。また、ユーザにカバー２２を閉位置にする旨の報知を行い、常に撮像素子２３ａからの出力信号が所定閾値以上であるか否かにより読取モードを決定するようにしてもよい。
【００５５】
また、スキャン画像が所定形状条件を満たすか否かの判断（図５のＳ１４）は複合機１で行われなくてもよい。すなわち、図６に示すように、上述の実施形態の一変形例に係る複合機１００は、ネットワーク通信部４によりネットワーク８５を介してサーバ８６と通信可能であり、サーバ８６は所定形状条件を記憶する条件記憶部８６ａを備えていている。なお、ネットワーク８５は、有線ＬＡＮや無線ＬＡＮであってもよいし、インターネットであってもよい。
【００５６】
かかる複合機１００においては、プレスキャンを実行した後（図５のＳ１３）、プレスキャンのスキャン画像をサーバ８６に送信する。そして、サーバ８６において、プレスキャンのスキャン画像が、条件記憶部８６ａに記憶されている所定形状条件を満たすか否かを判断する画像判断処理を実行する。複合機１００は、サーバ８６で行われた画像判断処理の結果を受信する判断結果取得処理を実行する。判断結果取得処理において、プレスキャンのスキャン画像が所定形状に合致するとの結果を取得した場合、読取モード決定処理において、スキャナ部２が行う読取モードを第２読取モードに設定する。
【００５７】
上述の変形例に係る複合機１００においては、画像判断処理に係る負荷を低減しつつ、携帯端末９の形状的特徴を利用して効果的に読取モードを決定することができる。
【００５８】
さらに、上述の実施形態においては、印刷機能、スキャナ機能及びＦＡＸ機能を有する複合機１に本発明を適用する場合について説明したが、これには限定されない。すなわち、本発明は、ＦＡＸ機能を有さない複合機やスキャナ機能及びＦＡＸ機能のみを有する装置に適用することもできる。
【符号の説明】
【００５９】
１  複合機
２  スキャナ部（画像読取部）
３  プリンタ部（画像記録部）
５  ファクシミリ通信部（画像送信部）
１０  制御部
１４  パラメータ記憶部
１５  条件記憶部
２１  プラテンガラス
２１ａ  上面（画像読取面）
２２  カバー
２３  密着イメージセンサ
２３ｂ  光源
【図１】
2020057855.tif 000003
【図２】
2020057855.tif 000004
【図３】
2020057855.tif 000005
【図４】
2020057855.tif 000006
【図５】
2020057855.tif 000007
【図６】
2020057855.tif 000008